(57)【要約】【課題】扉の開閉による結露水の流出を防ぐ。【解決手段】貯蔵庫２０は、内部に貯蔵室２３を画成すると共に、貯蔵室２３に連通する開口部２２ａを前部に設けた断熱箱体２２と、所謂スライドインタイプの扉３０とを備えている。また貯蔵庫２０は、開放位置の扉３０の上方に対向配置されて、前側から後側に向かうにつれて下方傾斜する傾斜部４６を有し、断熱箱体２２の天板２６の下方に設けられるガイド部材４２を備えている。ガイド部材４２は、傾斜部４６の傾斜下端を開放位置における扉３０の後端部３０ａより後側に配置してある。【選択図】図１
2008298383.tif 000002
【特許請求の範囲】
【請求項１】
内部に貯蔵室(23)が画成されると共に、該貯蔵室(23)に連通する開口部(22a)が前部に設けられた断熱箱体(22)と、前記開口部(22a)を閉成する閉成位置、および前記断熱箱体(22)における天板(26)の下面に対向する略水平姿勢で断熱箱体(22)に収納されて、該開口部(22a)を開放する開放位置に変位する扉(30)とを備える貯蔵庫において、
前記天板(26)の下方に設けられて、開放位置の扉(30)の上方に対向して前側から後側に向かうにつれて下方傾斜する傾斜部(46,74)を有するガイド部材(42,72)を備え、
前記ガイド部材(42,72)は、前記傾斜部(46,74)の傾斜下端を前記開放位置における扉(30)の後端部より後側に配置すると共に、傾斜部(46,74)における両側面(46b,76)の間隔を、扉(30)における両側面間の寸法(W3)に該扉(30)の側面と断熱箱体(22)の内側面とのクリアランス(W1,W1)分を加えた寸法(W2)に設定した
ことを特徴とする貯蔵庫。
【請求項２】
前記扉(30)における前記開放位置で後端部となる端縁には、閉成位置と開放位置との扉(30)の変位過程で、前記ガイド部材(42)の傾斜部(46)に弾力的に当接するワイパー部材(62)が設けられている請求項１記載の貯蔵庫。
【請求項３】
前記ガイド部材(72)の傾斜部(74)は、水蒸気の通過を許容する一方、水の通過を阻む透湿部材(74a)で構成されている請求項１記載の貯蔵庫。
【請求項４】
内部に貯蔵室(23)が画成されると共に、該貯蔵室(23)に連通する開口部(22a)が前部に設けられた断熱箱体(22)と、前記開口部(22a)を閉成する閉成位置、および前記断熱箱体(22)における天板(26)の下面に対向する略水平姿勢で断熱箱体(22)に収納されて、該開口部(22a)を開放する開放位置に変位する扉(30)とを備える貯蔵庫において、
前記天板(26)の下方に揺動可能に設けられ、前記閉成位置における扉(30)の後方に垂下すると共に、前記開放位置における扉(30)の後端部に支持されて、該天板(26)の下方に延在して前側から後側に向かうにつれて下方傾斜する傾斜部(54)を有するガイド部材(52)を備え、
前記ガイド部材(52)は、前記開放位置における扉(30)の後端部に支持されている前記傾斜部(54)の傾斜下端が、該扉(30)の後端部より後側に位置するよう構成した
ことを特徴とする貯蔵庫。
【発明の詳細な説明】
【技術分野】
【０００１】
この発明は、断熱箱体の開口部を閉成する閉成位置、および断熱箱体における天板の下面に対向する略水平姿勢で断熱箱体に収納されて、該開口部を開放する開放位置に変位する扉を備える貯蔵庫に関するものである。
【背景技術】
【０００２】
例えば図１０に示すオーガ式製氷機１００では、製氷ユニット１０１で生成したチップアイスやフレークアイスと云った小片状の氷塊を貯蔵庫１０２で貯蔵するようになっている。貯蔵庫１０２は、内外の板材の間にウレタンフォーム等の断熱材を充填して構成された断熱箱体１０４を本体とし、この断熱箱体１０４の内部に画成された貯蔵室１０６に、製氷ユニット１０１から放出された氷塊が貯蔵される。また貯蔵庫１０２には、断熱箱体１０４の前部上側に、扉１０８により開閉可能な開口部１０４ａが開設されており、貯蔵室１０６に貯蔵された氷塊を使用する際には、扉１０８を変位させて開口部１０４ａを開放し、スコップ等を利用して開口部１０４ａを介して貯蔵室１０６から氷塊を取出す。
【０００３】
前記貯蔵庫１０２では、断熱箱体１０４の両側板内部に設けられた案内溝１０４ｂで扉１０８をスライド可能に保持し、開口部１０４ａを覆って閉成する閉成位置と(図１０および図１１の２点鎖線)、開口部１０４ａから退避して開放する開放位置と(図１０および図１１の実線)の間で扉１０８を変位する所謂スライドインタイプの扉構造が採用されている。スライドインタイプの扉構造では、扉１０８が閉成位置で断熱箱体１０４の内部に収納されて、断熱箱体１０４における天板１０５の下方に位置するので、開口部１０４ａ全体が開放される。すなわち、スライドインタイプの扉構造を採用した貯蔵庫１０２では、開口部の上下縁に対向配置したレール部材で扉を保持して、扉を左右方向にスライド変位させるスライド扉構造と比べて、開口部１０４ａ全体を取出し口として利用できるメリットがある。
【特許文献１】特開２００３−１７２５６２号公報
【発明の開示】
【発明が解決しようとする課題】
【０００４】
ところで、前記製氷機１００の貯蔵庫１０２では、貯蔵室１０６を断熱箱体１０４の内部に画成することで、貯蔵室１０６の温度を氷塊が融解しない温度に保っている。すなわち、貯蔵庫１０２の外部温度と貯蔵室１０６の温度との間には温度差が生じ、断熱材で断熱されているものの、湿度が高くなった場合、断熱箱体１０４の天板１０５下面に結露が生じることがある(図１１参照)。特に貯蔵室１０６の上部は、氷塊の取出し作業に際して、開放された開口部１０４ａから温かい空気が進入し、外気が天板１０５で冷却されて結露が生じる可能性が比較的高い。前述の如く、スライドインタイプの扉構造を採用した貯蔵庫１０２では、閉成位置の扉１０８が天板１０５の下方に位置するので、天板１０５の下面から結露水Ｋが扉１０８に滴下して、開放位置から閉成位置に扉１０８を戻した際に、扉１０８と一緒に該扉１０８に付着した結露水Ｋが外部に流出してしまう難点が指摘される。扉１０８の開閉につれて外部に流出した結露水Ｋは、製氷機１００の外面に付着したり、製氷機１００周辺の床に滴下して、汚れの原因となる不都合がある。
【０００５】
すなわち本発明は、従来の技術に係る貯蔵庫に内在する前記問題に鑑み、これらを好適に解決するべく提案されたものであって、断熱箱体内部に生じた結露水が、扉の開閉につれて外部に流出するのを抑制できる貯蔵庫を提供することを目的とする。
【課題を解決するための手段】
【０００６】
前記課題を克服し、所期の目的を達成するため、本願の請求項１に係る発明の貯蔵庫は、
内部に貯蔵室が画成されると共に、該貯蔵室に連通する開口部が前部に設けられた断熱箱体と、前記開口部を閉成する閉成位置、および前記断熱箱体における天板の下面に対向する略水平姿勢で断熱箱体に収納されて、該開口部を開放する開放位置に変位する扉とを備える貯蔵庫において、
前記天板の下方に設けられて、開放位置の扉の上方に対向して前側から後側に向かうにつれて下方傾斜する傾斜部を有するガイド部材を備え、
前記ガイド部材は、前記傾斜部の傾斜下端を前記開放位置における扉の後端部より後側に配置すると共に、傾斜部における両側面の間隔を、扉における両側面間の寸法に該扉の側面と断熱箱体の内側面とのクリアランス分を加えた寸法に設定したことを特徴とする。
請求項１に係る発明によれば、開放位置の扉の上方に対向してガイド部材の傾斜部が配置されると共に、傾斜部の傾斜下端が開放位置での扉の後端部より後側にずらした位置に配置されるので、開放位置での扉に対向する傾斜部または天板下面に生じた結露水は、傾斜部の傾斜に案内されて傾斜部の傾斜下端から滴下し、扉に付着することを回避できる。しかも、傾斜部の両側面間の寸法を扉とクリアランスとの関係で設定してあるから、ガイド部材を断熱箱体に組付けることで、断熱箱体の内側面間が狭い場合は、傾斜部の側面により押し広げられ、断熱箱体の内側面と扉の側面とのクリアランスを確保でき、扉の開閉を円滑に行なうことができる。すなわち、扉の開閉変位に際して、断熱箱体が振動するのを抑制できるから、傾斜部の途中から結露水が滴下することを抑制することができ、扉への結露水の付着をより確実に回避できる。
【０００７】
請求項２に係る発明では、前記扉における前記開放位置で後端部となる端縁に、閉成位置と開放位置との扉の変位過程で、前記ガイド部材の傾斜部に弾力的に当接するワイパー部材を設けることを要旨とする。
請求項２に係る発明によれば、扉の開放変位に際して、ワイパー部材により傾斜部に生じた結露水を傾斜部の傾斜下端に向けて移動されるので、扉への結露水の付着をより確実に回避できる。
【０００８】
請求項３に係る発明では、前記ガイド部材の傾斜部が、水蒸気の通過を許容する一方、水の通過を阻む透湿部材で構成されることを要旨とする。
請求項３に係る発明によれば、傾斜部の下面に結露水が生じることを抑制できるので、扉への結露水の付着をより確実に回避できる。
【０００９】
前記課題を克服し、所期の目的を達成するため、本願の請求項４に係る発明の貯蔵庫は、
内部に貯蔵室が画成されると共に、該貯蔵室に連通する開口部が前部に設けられた断熱箱体と、前記開口部を閉成する閉成位置、および前記断熱箱体における天板の下面に対向する略水平姿勢で断熱箱体に収納されて、該開口部を開放する開放位置に変位する扉とを備える貯蔵庫において、
前記天板の下方に揺動可能に設けられ、前記閉成位置における扉の後方に垂下すると共に、前記開放位置における扉の後端部に支持されて、該天板の下方に延在して前側から後側に向かうにつれて下方傾斜する傾斜部を有するガイド部材を備え、
前記ガイド部材は、前記開放位置における扉の後端部に支持されている前記傾斜部の傾斜下端が、該扉の後端部より後側に位置するよう構成したことを特徴とする。
請求項４に係る発明によれば、開放位置の扉の後端部に支持されて、天板の下方に延在してガイド部材の傾斜部が配置されると共に、傾斜部の傾斜下端が開放位置での扉の後端部より後側にずらした位置に配置されるので、天板の下面に生じた結露水を、傾斜部の上面で受けて傾斜下端から滴下するから、扉に付着することを回避できる。
【発明の効果】
【００１０】
本発明に係る貯蔵庫によれば、断熱箱体内部に生じた結露水が、扉の開閉につれて外部に流出するのを抑制できる。
【発明を実施するための最良の形態】
【００１１】
次に、本発明に係る貯蔵庫につき、好適な実施例を挙げて、添付図面を参照して以下に説明する。なお、実施例では、貯蔵庫を備えた製氷機を例に挙げて説明し、貯蔵庫において物品(氷塊)を出入れする開口部が設けられた側を前とする。
【実施例１】
【００１２】
図１に示す製氷機１０は、実施例１に係る貯蔵庫２０と、この貯蔵庫２０の内部に設置されて氷塊を生成する製氷ユニット１２と、貯蔵庫２０の外部に設けた機械室(図示せず)に設置されて、製氷ユニット１２を冷却する冷凍装置(図示せず)とから基本的に構成されている。貯蔵庫２０は、内部に貯蔵室２３を画成した断熱箱体２２を本体とし、この貯蔵室２３の上部に製氷ユニット１２が配設されて、製氷ユニット１２から放出された氷塊Ｍが貯蔵室２３で貯蔵されるようになっている。また貯蔵庫２０には、断熱箱体２２の上部を構成する天板２６の下方に、結露水を案内する傾斜部４６を備えるガイド部材４２が設けられている(図２参照)。実施例１では、冷凍装置の一部をなす蒸発管１６を挟んで対向配置した一対の製氷板１４,１４に対して、両製氷板１４,１４の下方に設けた製氷水タンク１８から製氷水を供給することで、両製氷板１４に円弧状の氷塊Ｍを生成する所謂流下式の製氷ユニット１２が採用されている。なお、製氷ユニット１２は、貯蔵室２３の後側に偏倚した位置において、両製氷板１４,１４を立てた姿勢で製氷面を左右方向に延在させて、断熱箱体２２の内側面に組付けられている。
【００１３】
前記貯蔵庫２０は、断熱箱体２２の前部に開設された開口部２２ａを開閉する扉３０と、断熱箱体２２に設けられ、扉３０を変位可能に支持するレール部材３４とを備えている。扉３０は、開口部２２ａを覆って該開口部２２ａを閉成する閉成位置と、開口部２２ａから断熱箱体２２の内部(実施例では貯蔵室２３)に退避して開口部２２ａを開放する開放位置との間を、レール部材３４に支持されて変位するよう構成される(図１参照)。すなわち貯蔵庫２０では、扉３０を開放変位することで、貯蔵室２３に連通する開口部２２ａを開放して、貯蔵室２３に貯留した氷塊Ｍを取出し得るようになっている。また扉３０は、閉成位置での略垂直姿勢から開放位置で略水平姿勢に変動して、開放位置において貯蔵室２３に収納されて断熱箱体２２における天板２６の下方に位置し、閉成位置の扉３０の上端部３０ａが、開放位置での扉３０の後端部３０ａとなる。また、閉成位置の扉３０における外方に臨む前面は、開放位置で天板２６の下面に臨む扉３０の上面となる。このように、貯蔵庫２０では、スライドインタイプの扉構造が採用され、扉３０を開放位置で貯蔵室２３に収納することで、開放した開口部２２ａを広く用いることができる。
【００１４】
前記断熱箱体２２は、前部を構成する前壁２４ａ、後部を構成する後壁２４ｂ、左右の側部を構成する側壁２４ｃ,２４ｃおよび底部を構成する底板(図示せず)を一体的に形成した上方に開放する箱状本体２４と、この箱状本体２４の上部開口に着脱可能に組付けられる断熱構造の天板２６とから構成される。断熱箱体２２の前壁２４ａは、上端が両側壁２４ｃ,２４ｃの上端より低く設定され、天板２６の前端、両側壁２４ｃ,２４ｃの前端および前壁２４ａの上端によって、開口部２２ａが断熱箱体２２の前部上側に形成される。また、断熱箱体２２における前壁２４ａの前面には、開口部２２ａに整合する開口が設けられたフロントカバー２１が、該フロントカバー２１の上縁後面に開設した係合孔部(図示せず)を、レール部材３４の上端に鈎状に突設された前係合部３４ａに係合させた状態で着脱可能に組付けられる。更に、後壁２４ｂの上部は、前側に屈曲して凹部２２ｂが設けられ、この凹部２２ｂの後面はリアパネル２５で塞がれている。
【００１５】
図３に示すように、天板２６は、上面を構成する平板部分の４辺から下方に垂下するフランジ２７ａを備えた外郭２７と、この外郭２７における平板部分の下面に配設された断熱材２８とから構成される。ここで、外郭２７における各フランジ２７ａの下端は、対向する辺側に向けて略直角に屈曲されている。また天板２６の前面には、左右に離間して前記前係合部３４ａが挿入される前係合孔２７ｂが開設されている。そして天板２６は、前記リアパネル２５の上部に設けられた後係合孔２５ａに、外郭２７の後辺に延在するフランジ２７ａの下端を挿入すると共に、フロントカバー２１の上縁に係合して後側に突き出た前係合部３４ａに対して前係合孔２７ｂを共通的に係合することで、箱状本体２４の上部開口を覆う状態で箱状本体２４に対して着脱可能に組付けられる(図４参照)。
【００１６】
前記レール部材３４は、箱状本体２４における側壁２４ｃの内面に対向して配設される一対の案内部３６,３６と、両案内部３６,３６の下部間に連設され、箱状本体２４の前壁２４ａ上部前面に配設される連結部４０とから構成される。すなわち貯蔵庫２０では、案内部３６における貯蔵室２３に臨む面が断熱箱体２２の内側面を構成している。各案内部３６は、側壁２４ｃの前側に上下に延在する部位と、側壁２４ｃの上部に前後方向に延在する部位とを一体的とした側面視において倒立略Ｌ字状に形成されている(図１参照)。また、各案内部３６には、開口部２２ａに沿って上下方向に延在すると共に、この上下方向に延在する部位の上部に接続して、天板２６の下方に略平行に離間した位置に前後方向に延在する側面視において倒立略Ｌ字状の案内溝３８が凹設されている。ここでレール部材３４は、案内部３６の上部に設けた係止片３６ａを、断熱箱体２２における側壁２４ｃの上端に設けられた係止孔２４ｄに挿入固定することで、断熱箱体２２に対して組付けられている(図２参照)。更に、各案内部３６の前側上面には、先端が後側に指向する鈎状の前係合部３４ａが一体的に設けられ、前係合部３４ａに係合孔部を係合して組付けたフロントカバー２１で、両案内部３６,３６の前部および連結部４０が覆われるようになっている。なお、各案内溝３８は、前後方向に延在する部位の後端が、下方に僅かに屈曲する形状となっている。
【００１７】
前記扉３０は、ウレタンフォーム等が充填された断熱構造の板状体であって、閉成位置での上端部３０ａ前側に段部が形成されると共に、閉成位置での下端部前側に、扉３０の操作時に使用者が把持する把持部３０ｂが形成されている(図１参照)。扉３０の両側面には、閉成位置における上下方向に離間して一対の支持軸３２,３２が突設され、これらの支持軸３２,３２をレール部材３４における対応の案内溝３８に保持させて、扉３０が断熱箱体２２に組付けられる。そして扉３０は、閉成位置で支持軸３２,３２が案内溝３８における上下方向に延在する部位に保持されて略垂直姿勢となり、段部がフロントカバー２１の上縁後側に整合すると共に、把持部３０ｂがフロントカバー２１の下縁前側に位置するようになっている。また扉３０は、開放位置で支持軸３２,３２が案内溝３８における前後方向に延在する部位に保持されて略水平姿勢となり、天板２６から間隔をあけた状態で貯蔵室２３に収納される。開放位置の扉３０は、後側に位置する支持軸３２,３２が案内溝３８における前後方向に延在する部位の後端に落ち込み、扉３０における前後方向への移動が規制されるようになっている。
【００１８】
実施例のガイド部材４２は、天板２６の下面に略整合する形状および寸法に設定された板状部材である。ガイド部材４２は、水平方向に延在する平板部４４と、この平板部４４の延在位置より下方に凸状に突出形成された傾斜部４６と、平板部４４および傾斜部４６の周縁に設けられて、天板２６への組付け部位となる端縁部４８とから構成される。ガイド部材４２では、傾斜部４６が開放位置にある扉３０の上方に対向するように貯蔵室２３の前側に配置されると共に、製氷ユニット１２が設置される貯蔵室２３の後側に平板部４４が配置され、傾斜部４６および平板部４４が貯蔵室２３の天井面として機能するようになっている。傾斜部４６は、断熱箱体２２の開口部２２ａを起点として、前側から後側に向かうにつれて下方傾斜するように形成され、貯蔵室２３の天井面をなす傾斜面４６ａに沿って当該傾斜面４６ａに付着した結露水を後側へ案内するようになっている。また、傾斜部４６は、貯蔵室２３の左右方向の全体に亘って延在する左右寸法に設定され、傾斜部４６の傾斜面４６ａと端縁部４８とを接続して上下方向に延在する側面４６ｂが、貯蔵室２３の側面をなす対応の案内部３６に押圧した状態で当接するよう構成されている。なお、傾斜部４６の傾斜面４６ａは、水平面に対して７°以上の傾斜角度に設定するのが好適である。
【００１９】
前記ガイド部材４２において、傾斜部４６は、その傾斜下端が開放位置における扉３０の後端部３０ａより後側に位置するように形成される。実施例１では、傾斜部４６の傾斜下端が製氷ユニット１２の設置位置より前側で、開放位置における扉３０の後端部３０ａから後側へ水平距離で１５ｍｍ程度離間するように配置されている。また、傾斜部４６の傾斜面４６ａには、親水性フィルム４７が貼付けられている(図３参照)。なお、ガイド部材４２では、傾斜部４６における傾斜面４６ａの傾斜下端と平板部４４とが略垂直に延在する後面４６ｃで接続されている。
【００２０】
前記傾斜部４６には、傾斜面４６ａの中央側から側面４６ｂ側に向かうにつれて下方傾斜する円弧状のテーパ面４６ｄが、傾斜面４６ａの両側縁に形成されている。すなわち、傾斜部４６では、傾斜面４６ａの側縁がテーパ面４６ｄを介して側面４６ｂの下端に接続される。なお、実施例１のテーパ面４６ｄは、半径５ｍｍ〜１０ｍｍ程度に設定されている。
【００２１】
前記ガイド部材４２は、端縁部４８を天板２６におけるフランジ２７ａの下端に載置すると共に、外郭２７の下面に設けられる断熱材２８とフランジ２７ａの下端とに端縁部４８が挟まれた状態で、天板２６に対して組付けられる(図３参照)。すなわち、ガイド部材４２は、天板２６と一体化され、天板２６の着脱と共に取扱い可能となっている。またガイド部材４２は、天板２６を箱状本体２４に組付けた際に、傾斜部４６の側面４６ｂが箱状本体２４の側壁内面に設置された案内部３６に当接して、傾斜部４６が箱状本体２４の側壁上部間に嵌め合わせられる構成となっている(図２参照)。
【００２２】
ここで、扉３０がレール部材３４の案内溝３８に沿って円滑に変位するためには、扉３０の各側面と対応する案内部３６との間に、例えば１ｍｍ程度のクリアランスＷ１を夫々要する(図２参照)。ガイド部材４２の傾斜部４６は、両側面４６ｂ,４６ｂの間の寸法Ｗ２が扉３０の両側面間の寸法Ｗ３より左右のクリアランスＷ１,Ｗ１分だけ大きく設定されると共に(Ｗ２＝Ｗ３＋Ｗ１＋Ｗ１)、傾斜部４６の両側面４６ｂ,４６ｂが、断熱箱体２２の内側面を構成している案内部３６に夫々当接するよう構成される。一方、天板２６(ガイド部材４２)を箱状本体２４より取り外した状態における対向する案内部３６の離間寸法(断熱箱体２２の内側面間の寸法)Ｗ４は、扉３０の両側面間の寸法Ｗ３に左右のクリアランスＷ１,Ｗ１を加えた間隔(Ｗ４＝Ｗ３＋Ｗ１＋Ｗ１)が、クリアランスＷ１,Ｗ１を確保する上で適正である。但し、対向する案内部３６の離間寸法Ｗ４が組付け部材間の誤差等によって狭小になっても、天板２６を箱状本体２４に組付けると、案内部３６,３６間に嵌め合わせられた傾斜部４６によって案内部３６,３６間が押し広げられ、扉３０の側面と案内部３６との間にクリアランスＷ１を確保し得るようになっている。
【００２３】
〔実施例１の作用〕
次に、実施例１に係る貯蔵庫２０の作用について説明する。貯蔵庫２０において、傾斜部４６の傾斜面４６ａに生じた結露水は、傾斜面４６ａの傾斜に沿って前側から後側へ誘導され、傾斜面４６ａの傾斜下端から滴下する。ここで、傾斜面４６ａの傾斜下端は、開放位置にある扉３０の後端部３０ａより後側にずれた位置に配置されているから、傾斜下端から滴下する結露水が扉３０の上面に滴下することを回避し得る。すなわち、扉３０を貯蔵室２３に収納して貯蔵室２３の天井面の下方に対向した開放位置に変位しても、貯蔵室２３の天井面から扉３０に結露水が滴下することを抑制できる。従って、扉３０の開閉につれて、貯蔵室２３の内部で生じた結露水が扉３０に付着して外部に流出することを抑えることができ、結露水によって製氷機１０の外面や製氷機１０の周辺を汚すおそれは小さい。
【００２４】
また、傾斜面４６ａには、親水性フィルム４７が貼付けられているので、傾斜面４６ａに生じた結露水が、親水性フィルム４７の親水作用により滴状になり難く、膜状に拡散される。すなわち、断熱箱体２２に振動が与えられても、結露水が傾斜面４６ａの傾斜下端までに流下する途中で滴下することを抑制できる。また、傾斜面４６ａの側縁には、テーパ面４６ｄが設けられているので、傾斜面４６ａに生じた結露水の一部をテーパ面４６ｄで案内して、結露水を貯蔵室２３の側面を伝わせて流下させることができる。これにより、貯蔵室２３に貯蔵された氷塊Ｍに対して、直接滴下する結露水の量を減らして、氷塊Ｍの融解やブロッキング等を抑制できる。なお、貯蔵室２３の側面を流下した結露水は、断熱箱体２２の底板に設けられた排水手段(図示せず)を介して製氷機外に排出される。
【００２５】
前記ガイド部材４２は、断熱箱体２２の箱状本体２４に組付けた際に、貯蔵室２３の両側面を構成している案内部３６,３６間に嵌め合わせられた傾斜部４６によって、扉３０と案内部３６のクリアランスＷ１を確保し得る構成となっている。貯蔵庫２０では、対向する案内部３６,３６の離間寸法Ｗ４が狭い場合(Ｗ２＋Ｗ１＋Ｗ１＞Ｗ４)は、傾斜部４６の両側面４６ｂ,４６ｂが案内部３６,３６に押圧した状態で当接されて、対向する案内部３６,３６間を適切な間隔まで押し広げる。一方、対向する案内部３６,３６の離間寸法Ｗ４が適切または僅かに広い場合(Ｗ２＋Ｗ１＋Ｗ１≦Ｗ４)は、扉３０と案内部３６とのクリアランスＷ１は確保されている。このように、ガイド部材４２の箱状本体２４への組付けによって、扉３０の側面と案内部３６との間にクリアランスＷ１を確実に確保することができ、扉３０を円滑に開閉変位することができる。従って、扉３０の開閉によって断熱箱体２２に対して与える振動を最小限とすることができ、結露水が傾斜面４６ａの傾斜下端までに流下する途中で滴下することを回避できる。また、断熱箱体２２における箱状本体２４の上部に嵌め合わせた傾斜部４６により、箱状本体２４の両側壁２４ｃ,２４ｃが内側から支持されるので、断熱箱体２２の強度を向上させることができる。
【実施例２】
【００２６】
実施例１の貯蔵庫２０では、貯蔵室２３の天井面を構成するガイド部材４２について説明したが、図６に示すように、実施例２の貯蔵庫５０に採用されるガイド部材５２は、貯蔵室２３の天井面を構成する平板材５１と別体に構成されている。なお、実施例２において、実施例１と同様の構成は同一の符号を付して説明を省略する。
【００２７】
実施例２のガイド部材５２は、平板状の傾斜部５４を本体として、この傾斜部５４の一端縁に設けた軸部５６における両側面に軸孔５６ａが夫々開設されている。なお、傾斜部５４の左右寸法は、貯蔵室２３の側面間より僅かに小さい寸法で設定されている。一方、断熱箱体２２には、箱状本体２４の両側壁内面の上部前側に、回転軸５０ａが夫々突設されている。ガイド部材５２は、断熱箱体２２の回転軸５０ａに対し軸孔５６ａを挿入することで、貯蔵室２３における天板２６の下方で、開口部２２ａの後側に配置した状態で、断熱箱体２２に対して揺動可能に組付けられる。
【００２８】
前記ガイド部材５２は、扉３０が閉成位置にある場合に、傾斜部５４が自重により垂直姿勢で垂れ下がって、開口部２２ａを後側から覆うようになっている。またガイド部材５２は、扉３０を閉成位置から開放位置に変位する際に、扉３０の開放位置での後端部３０ａに傾斜部５４が当接して、扉３０の開放変位につれて傾斜部５４が回転軸５０ａを中心として後側へ揺動するようになっている。そして、ガイド部材５２は、開放位置にある扉３０の後端部３０ａに支持されて、傾斜部５４が前側から後側に向かうにつれて下方傾斜する傾斜姿勢に移行し、傾斜部５４の傾斜下端が開放位置の扉３０の後端部３０ａより後側に配置される。
【００２９】
このように、実施例２の貯蔵庫５０では、扉３０が開放位置にある場合に、傾斜姿勢の傾斜部５４が貯蔵室２３の天井面に対向配置されて、天井面から滴下する結露水を傾斜部５４における天井面に臨む傾斜面で受けるから、開放位置の扉３０に滴下することはない。そして、結露水は、傾斜部５４の傾斜に沿って前側から後側へ誘導されて、傾斜下端から滴下する。ここで、傾斜部５４の傾斜下端は、開放位置にある扉３０の後端部３０ａより後側にずれた位置に配置されているから、傾斜下端から滴下する結露水が扉３０の上面に滴下することを回避し得る。従って、扉３０を貯蔵室２３に収納した際に結露水が付着することはないから、貯蔵室２３の内部で生じた結露水が外部に流出することを抑えることができ、結露水によって製氷機外面や製氷機１０の周辺を汚すことはない。
【実施例３】
【００３０】
図７に示す実施例３の貯蔵庫６０は、実施例１の構成を基本として、扉３０における開放位置で後端部３０ａとなる端部全体に亘って、前後方向に可撓性を有するワイパー部材６２が該端部から突出させて配設されている。実施例３の貯蔵庫６０では、扉３０における閉成位置と開放位置との間の変位過程で、ガイド部材４２における傾斜部４６の傾斜面４６ａに、ワイパー部材６２が弾力的に当接するよう構成される。なお実施例３では、傾斜部４６の傾斜面４６ａは、ワイパー部材６２における閉成位置と開放位置との間の変位軌跡に合わせて湾曲形成されている。ここで、実施例３の貯蔵庫６０において、実施例１と同様の構成は同一の符号を付して説明を省略する。
【００３１】
開放位置で後端部３０ａとなる扉３０の端部に設けたワイパー部材６２は、扉３０を閉成位置から開放位置に変位する際に、傾斜面４６ａに摺接しつつ前側から後側へ移動して、傾斜面４６ａに付着した結露水を傾斜に沿って後側へ向けて押出す。そして結露水は、傾斜面４６ａの傾斜に沿って前側から後側へ誘導されて、傾斜面４６ａの傾斜下端から滴下するが、傾斜下端は開放位置にある扉３０の後端部３０ａより後側にずれた位置に配置されているから、傾斜下端から滴下する結露水が扉３０の上面に滴下することを回避し得る。また、ワイパー部材６２によって押される結露水が傾斜面４６ａから滴下することがあるものの、ワイパー部材６２は扉３０の端部から突設されているので、結露水は扉３０の後方に滴下して扉３０に滴下することはない。このように、扉３０にワイパー部材６２を設けて、扉３０の開放に際して、傾斜面４６ａに付着した結露水を積極的に傾斜下端へ向けて案内しているから、扉３０への結露水の付着を一層抑制し得る。
【実施例４】
【００３２】
図８に示す実施例４の貯蔵庫７０では、ガイド部材７２が、天板２６の下面を覆って貯蔵室２３の天井面を構成する平板材７１と別体に形成され、ガイド部材７２は、開放位置での扉３０の上方に対向配置されている。実施例４のガイド部材７２は、図９に示す如く、天板２６に対して前側から後側に向かうにつれて下方傾斜する傾斜部７４と、傾斜部７４の両側縁に立設された側壁部７６,７６と、傾斜部７４の前縁に立設された前壁部７８とから構成される。そして、ガイド部材７２は、各側壁部７６の上端に設けたフランジ７６ａを介して天板２６に取付けられている。また、傾斜部７４は、水蒸気の通過を許容する一方、水の通過を阻む透湿部材７４ａで構成される。ガイド部材７２は、傾斜部７４の傾斜下端を開放位置における扉３０の後端部３０ａより後側に配置させると共に、傾斜部７４における両側壁部７６,７６間の寸法を、扉３０の両側面間の寸法Ｗ３より左右のクリアランスＷ１,Ｗ１分だけ大きく設定してある。すなわち、貯蔵室２３の左右方向全体に延在する傾斜部７４の側壁部(側面)７６が、断熱箱体２２の内側面を構成する前記案内部３６に押圧的に当接して、扉３０の側面と案内部３６とのクリアランスを確保し得るようになっている。
【００３３】
実施例４の貯蔵庫７０によれば、傾斜部７４の透湿部材７４ａを湿気が通過するので、傾斜部７４の下面に結露が生じることを防止できる。また、天板２６の下面に生じた結露水は、透湿部材７４ａから下方に漏れることなく傾斜部７４の上面で受けて傾斜に沿って案内して、開放された傾斜下端から滴下する。ここで、傾斜部７４の傾斜下端は、開放位置にある扉３０の後端部３０ａより後側にずれた位置に配置されているから、傾斜下端から滴下する結露水が扉３０の上面に滴下することを回避し得る。従って、扉３０を貯蔵室２３に収納した際に結露水が付着することはないから、貯蔵室２３の内部で生じた結露水が外部に流出することを抑えることができ、結露水によって製氷機外面や製氷機１０の周辺を汚すことはない。
【００３４】
(変更例)
本発明は、前述の実施例の構成に限定されず、以下の如く変更することも可能である。
(１)実施例では、貯蔵庫を備えた機器として、製氷機を例に挙げたが、冷蔵庫、冷凍庫や温蔵庫等の内外の温度差により結露が生じるおそれがある機器の貯蔵庫に採用できる。
(２)実施例１の傾斜面の側縁に設けるテーパ面は、円弧状の湾曲形状に限られず、直線傾斜であってもよい。また、実施例１の傾斜部において、傾斜面の側縁にテーパ面を設けず、傾斜面の側縁に側面の下端を接続する構成であってもよい。
(３)傾斜部は、傾斜下端を左右の一方に向けて傾斜させる構成も採用できる。すなわち、傾斜下端に到来した結露水を、傾斜下端の左右方向の傾斜に沿って貯蔵室の側面に案内して、該側面を伝わせて結露水を流下させることができる。
(４)実施例１および実施例３のガイド部材において、傾斜部を天板の下面を構成する平板部と別体に構成してもよい。また、実施例４のガイド部材を、平板部と一体に構成してもよい。
(５)ガイド部材において、傾斜部の傾斜下端を、製氷ユニットにおいて上方に開口する製氷水タンクの直上に配置して、傾斜下端から滴下する結露水を製氷水タンクで回収するようにしてもよい。
(６)親水性フィルムは、フィルムの素材自体に親水性材料を用いたものやフィルムの表面に親水性の材料をコーティングしたもの等を採用し得る。また、傾斜部自体を親水性材料で形成したり、あるいは傾斜部に親水性コーティングや処理を施してもよい。
(７)傾斜部における結露水が流下する面には、結露水の流下方向に沿って延在する溝を設けてもよい。この溝は、断面形状を三角や四角等の適宜の形状を採用し得る。
【図面の簡単な説明】
【００３５】
【図１】本発明の好適な実施例１に係る貯蔵庫を備えた製氷機の一部を示す側断面図である。
【図２】図１のＸ−Ｘ線断面図である。
【図３】実施例１の天板およびガイド部材を分解して示す側断面図である。
【図４】実施例１の天板と箱状本体の組付け図である。
【図５】実施例１におけるガイド部材の傾斜部と断熱箱体との関係を示す断面図である。
【図６】実施例２の貯蔵庫を備えた製氷機の一部を示す側断面図である。
【図７】実施例３の貯蔵庫を備えた製氷機の一部を示す側断面図である。
【図８】実施例４の貯蔵庫を備えた製氷機の一部を示す側断面図である。
【図９】実施例４のガイド部材を示す斜視図である。
【図１０】従来の貯蔵庫を備えた製氷機を示す側断面図である。
【図１１】従来の貯蔵庫の要部を示す側断面図である。
【符号の説明】
【００３６】
２２ 断熱箱体，２２ａ 開口部，２３ 貯蔵室，２６ 天板，３０ 扉，４２ ガイド部材，
４６ 傾斜部，４６ｂ 側面，５２ ガイド部材，５４ 傾斜部，６２ ワイパー部材，
７２ ガイド部材，７４ 傾斜部，７４ａ 透湿部材，７６ 側壁部(側面),
Ｗ１ クリアランス，Ｗ２ 寸法，Ｗ３ 寸法
【図１】
2008298383.tif 000003
【図２】
2008298383.tif 000004
【図３】
2008298383.tif 000005
【図４】
2008298383.tif 000006
【図５】
2008298383.tif 000007
【図６】
2008298383.tif 000008
【図７】
2008298383.tif 000009
【図８】
2008298383.tif 000010
【図９】
2008298383.tif 000011
【図１０】
2008298383.tif 000012
【図１１】
2008298383.tif 000013